(57)【要約】【課題】流し台の開口穴ずれに容易に対応できる組込式調理器を提供すること。【解決手段】本体を挿入設置する流し台の上面開口穴の左右側面に対向する前記外郭ケース１３左右側面に、クリアランスを調整できる調整スペーサー１９を設ける構成とすることで流し台の開口穴ずれに容易に対応できる。【選択図】図１
2005315450.tif 000002
【特許請求の範囲】
【請求項１】
本体を形成する外郭ケースと、本体上面を覆うトップユニット部とを備え、前記外郭ケースは、前記外郭ケース左右側面の本体を挿入設置する流し台の上面開口穴の左右側面に対向する位置に、流し台の上面開口穴と前記外郭ケース左右側面とのクリアランスを調整できる調整スペーサーを設ける構成とした組込式調理器。
【請求項２】
調整スペーサーは、回転させることによりクリアランスの調整幅を変えられるようにした請求項１に記載の組込式調理器。
【請求項３】
調整スペーサーは、任意の個所に複数の目盛りを付けた請求項１に記載の組込式調理器。
【請求項４】
調整スペーサーは、ビスを使用した請求項１に記載の組込式調理器。
【請求項５】
調整スペーサーは、外郭ケースに左右各一対とした請求項１〜４のいずれか１項に記載の組込式調理器。
【請求項６】
外郭ケースは、左右側面に幅の異なる複数の調整スペーサーを備える構成とした請求項１に記載の組込式調理器。
【請求項７】
調整スペーサーは、側面に凹部を有する請求項６に記載の組込式調理器。
【請求項８】
複数の調整スペーサーは、一体に形成した請求項６に記載の組込式調理器。
【請求項９】
一体に形成した調整スペーサーは、片側を開放とした請求項８に記載の組込式調理器。
【請求項１０】
調整スペーサーは、先端が任意のテーパー形状である請求項１〜９のいずれか１項に記載の組込式調理器。
【発明の詳細な説明】
【技術分野】
【０００１】
本発明は、一般家庭のキッチンで使用する組込式調理器に関し、特に本体組込時のズレ矯正構成に関する。
【背景技術】
【０００２】
一般に、組込式調理器を設置する流し台は図１４に示すようになっている。すなわち、調理器を挿入する上面開口穴１と挿入後に本体正面が位置する前面開口部２を有し、上面開口穴幅Ａより前面開口部Ｂは広い。（一般にＡ＝５６０ｍｍ、Ｂ＝６００ｍｍ）。したがって、調理器を設置後は、前面の左右に隙間（約２０ｍｍ）が発生し、これを覆う必要性が生じる。
【０００３】
従来、この種の組込式調理器は、設置後の本体側方と流し台との隙間を箱状のサイドカバーで左右とも覆う構成としている。サイドカバー取り付け後の本体幅寸法は、通常２〜３ｍｍ程度のクリアランスをもたせて５９４ｍｍ〜５９６ｍｍ程度に設計するのが望ましいとされている。また、Ａ寸法とＢ寸法とのセンターは０〜５ｍｍ程度ずれることがあり、外郭ケースの幅もＡ寸法に対して片側５ｍｍ程度のクリアランスをとっている（外郭ケース側面の形状は、通常平面形態をとっている）（例えば、特許文献１参照）。
【０００４】
図１３は特許文献１に記載された従来の組込式調理器を示すものである。図  に示すように、外郭ケース３と、その上方を覆うトッププレート４と、本体正面を構成する焙焼器５、およびその前面を構成する扉部６と、スイッチつまみ等を有する操作部７と、流し台等に設置された際に、本体側方と流し台の隙間を覆い隠すための右サイドカバー８と、同じく左サイドカバー９から構成されている。
【特許文献１】特開２００３−２０８９７０号公報
【発明の開示】
【発明が解決しようとする課題】
【０００５】
しかしながらこのような従来の構成では、Ａ寸法とＢ寸法とのセンターズレを吸収するためにＡ寸法と外郭ケースとの間に片側約５ｍｍのクリアランスを設けているが、設置するまでズレはわかりにくく、また、事前にキッチン寸法を測定しても、設置してから本体をずらして調整しなければならなかった。このとき、一般にトッププレート部下面には、水浸入防止のためのシール材が塗布してあり、摩擦抵抗が大きいため、大変滑りにくく、また無理に移動させようとするとシール材を破損してしまう可能性もあった。
【０００６】
本発明は、前記従来の課題を解決するもので、事前の簡単なキッチン寸法の測定で製品本体を調整することにより、組み込むだけでＡ・Ｂ寸法のセンターがずれていても設置後の本体をずらしての調整することなしに、Ｂ寸法に対して製品正面が均等になることで設置工事性の大幅な向上を図り、またシール材の破損を防止することを目的とする。
【課題を解決するための手段】
【０００７】
前記従来の課題を解決するために、本発明の組込式調理器は、本体を形成する外郭ケースと、本体上面を覆うトップユニット部を有し、本体を挿入設置する流し台の上面開口穴の左右側面に対向する前記外郭ケース左右側面に、クリアランスを調整できる調整スペーサーを設ける構成としたものである。
【０００８】
これによって、図１４におけるＣ寸法とＤ寸法を測定することによって、Ａ寸法とＢ寸法のセンターズレが容易にわかり、これによって左右の調整スペーサーをズレ分を考慮して幅調整することで、組み込むだけでＡ・Ｂ寸法のセンターがずれていても設置後の本体をずらしての調整することなしに、Ｂ寸法に対して製品正面が均等になることで設置工事性の大幅な向上を図り、またシール材の破損を防止することができるものである。
【０００９】
また、本発明の組込式調理器は、調整スペーサーはその本体を回転させることにより、調整幅を変えられるように構成したものである。
【００１０】
これによって、調整スペーサーの幅調整は極めて容易になるものである。
【００１１】
また、本発明の組込式調理器は、調整スペーサーの任意の個所に、複数個の目盛りを付けたものである。
【００１２】
これによって、調整スペーサーの幅調整は流し台の測定結果に基づいて目盛りをあわせるだけでよく、極めて容易になるものである。
【００１３】
また、本発明の組込式調理器は、調整スペーサーとして汎用性のあるビスを使用したものである。
【００１４】
これによって、調整スペーサーを非常に安価に構成することができる。
【００１５】
また、本発明の組込式調理器は、調整スペーサーを外郭ケースに左右各一対としたものである。
【００１６】
これによって、調整スペーサーの数は半減でき、大幅なコストダウンが図れるものである。
【００１７】
また、本発明の組込式調理器は、外郭ケースの左右側面に、幅の異なった調整スペーサーを複数個設ける構成としたものである。
【００１８】
これによって、調整スペーサーの幅調整は流し台の測定結果に基づいて不要なスペーサーを引き抜くだけでよく、作業性の大幅な改善が図れるものである。
【００１９】
また、本発明の組込式調理器は、複数個の各調整スペーサーの側面に凹部を設けたものである。
【００２０】
これによって、凹部に工具を引っ掛けることにより、引き抜きの作業がさらにやりやすくなり、作業性の大幅な改善が図れるものである。
【００２１】
また、本発明の組込式調理器は、外郭ケースの左右側面に、複数個の調整スペーサーを一体に形成したものである。
【００２２】
これによって、調整スペーサーの幅調整は流し台の測定結果に基づいて不要な調整スペーサーを押し戻すだけでよく、作業性の大幅な改善と部品としての調整スペーサーを廃止することができ、大幅なコストダウンを図れるものである。
【００２３】
また、本発明の組込式調理器は、外郭ケースの左右側面に一体で設けた調整スペーサーの片側は開放としたものである。
【００２４】
これによって、流し台の測定結果に基づいて不要な調整スペーサーを押し戻す際の力は大幅に軽減でき、作業性の大幅な改善が図れるものである。
【００２５】
また、本発明の組込式調理器は、調整スペーサーの先端は、任意のテーパー形状としたものである。
【００２６】
これによって、設置する際に、本体が少し傾いても引っかかることなしにテーパー面に沿って容易に設置することができ、作業性の大幅な改善が図れるものである。
【発明の効果】
【００２７】
本発明の組込式調理器は、事前の簡単なキッチン寸法の測定で製品本体を調整することにより、組み込むだけで上面開口穴と前面開口部寸法のセンターがずれていても設置後の本体をずらしての調整することなしに、前面開口部寸法に対して製品正面が均等になることで設置工事性の大幅な向上が図れ、またシール材の破損を防止でき優れた調理器を提供することができるものである。
【発明を実施するための最良の形態】
【００２８】
第１の発明は、本体を形成する外郭ケースと、本体上面を覆うトップユニット部とを備え、前記外郭ケースは、前記外郭ケース左右側面の本体を挿入設置する流し台の上面開口穴の左右側面に対向する位置に、流し台の上面開口穴と前記外郭ケース左右側面とのクリアランスを調整できる調整スペーサーを設ける構成としたことにより、図１４におけるＣ寸法とＤ寸法を測定することによって、Ａ寸法とＢ寸法のセンターズレが容易にわかり、これによって左右の調整スペーサーをズレ分を考慮して幅調整し組み込むだけでＡ・Ｂ寸法のセンターがずれていても設置後の本体をずらしての調整することなしに、Ｂ寸法に対して製品正面が均等になることで設置工事性の大幅な向上を図り、またシール材の破損を防止することができるものである。
【００２９】
第２の発明は、調整スペーサーはその本体を回転させることにより、調整幅を変えられるように構成したことにより、調整スペーサーの幅調整は極めて容易になり、設置工事性の向上が図れるものである。
【００３０】
第３の発明は、調整スペーサーの任意の個所に、複数個の目盛りを付けた構成とすることにより、調整スペーサーの幅調整は流し台の測定結果に基づいて目盛りをあわせるだけでよく、極めて容易になるものである。
【００３１】
第４の発明は、調整スペーサーとして汎用性のあるビスを使用した構成により、調整スペーサーを非常に安価に構成することができるものである。
【００３２】
第５の発明は、調整スペーサーを外郭ケースに左右各一対とした構成により、調整スペーサーの数は半減でき、大幅なコストダウンが図れるものである。
【００３３】
第６の発明は、外郭ケースの左右側面に、幅の異なった調整スペーサーを複数個設ける構成としたことにより、調整スペーサーの幅調整は流し台の測定結果に基づいて不要なスペーサーを引き抜くだけでよく、作業性の大幅な改善が図れるものである。
【００３４】
第７の発明は、複数個の各調整スペーサーの側面に凹部を設けた構成により、凹部に工具を引っ掛けることにより、引き抜きの作業がさらにやりやすくなり、作業性の大幅な改善が図れるものである。
【００３５】
第８の発明は、外郭ケースの左右側面に、複数個の調整スペーサーを一体に形成した構成により、調整スペーサーの幅調整は流し台の測定結果に基づいて不要な調整スペーサーを押し戻すだけでよく、作業性の大幅な改善と部品としての調整スペーサーを廃止することができ、大幅なコストダウンを図れるものである。
【００３６】
第９の発明は、外郭ケースの左右側面に一体で設けた調整スペーサーの片側は開放とする構成により、流し台の測定結果に基づいて不要な調整スペーサーを押し戻す際の力は大幅に軽減でき、作業性の大幅な改善が図れるものである。
【００３７】
第１０の発明は、調整スペーサーの先端は、任意のテーパー形状とした構成により、設置する際に、本体が少し傾いても引っかかることなしにテーパー面に沿って容易に設置することができ、作業性の大幅な改善が図れるものである。
【００３８】
なお、組込式ガス機器において、本体を固定するために、トッププレート部をはずしてビスを上面開口穴側面に食い込ませる構成のものが存在するが、これには本出願の設置時における左右均等化思想ははいっておらず、基本的に相違するものである。
【００３９】
以下、本発明の実施の形態について、図面を参照しながら説明する。なお、この実施の形態によって本発明が限定されるものではない。
【００４０】
（実施の形態１）
図１〜図３は、本発明の第１の実施の形態における組込式調理器の斜視図及び要部斜視図を示すものである。
【００４１】
図１〜３において、調理器本体１１（誘導加熱調理器）は流し台１２の上面開口穴（図示せず）から挿入設置されている。調理器本体１１は、外郭ケース１３、上面を覆うトッププレート１４、内部には加熱調理を行うための加熱コイルや制御回路を有している。調理器本体１１の正面には、左側に魚を焼くためのロースター１５、右側に操作部１６を有している。流し台１２と調理器本体１１との隙間をカバーする左サイドカバー１７をロースター１５の左側に、右サイドカバー１８を操作部右側に設けている。
【００４２】
外郭ケース１３の左右側面には上面開口穴の左右側面に対向する位置に調整スペーサー１９が設けられている。調整スペーサー１９は、のこぎり刃状の本体を、外郭ケース１３の側面穴２０に挿入され、任意の位置で係止させることができる。
【００４３】
以上のように構成された組込式調理器について、以下その動作、作用を説明する。
【００４４】
調理器本体１１を組み込む際に、まず図１４におけるＣ寸法とＤ寸法を測定することによって、Ａ寸法とＢ寸法のセンターズレが容易にわかり、これによって左右の調整スペーサー１９を、ズレ分を考慮して幅調整（のこぎり刃の差込具合で調整）することで、製品本体１１を組み込むだけでＡ・Ｂ寸法のセンターがずれていても設置後の本体をずらしての調整することなしに、Ｂ寸法に対して製品正面が均等になることとなる。
【００４５】
以上のように本実施の形態においては、調整スペーサー１９の、のこぎり刃状の本体を、外郭ケース１３の側面穴２０に挿入され、任意の位置で係止させることにより、設置工事性の大幅な向上を図り、またシール材の破損を防止することができるものである。
【００４６】
（実施の形態２）
図４は、本発明の第２の実施の形態の組込式調理器の要部断面図である。
【００４７】
図４において、調整スペーサー２１には、ねじ２２が切られており、回転させることにより調整幅を変えられるようにしたものである。
【００４８】
以上のように本実施の形態においては、調整時に、調整スペーサー２１の幅調整は極めて容易にできることとなり、作業性の大幅向上を図れるものである。
【００４９】
（実施の形態３）
図５は、本発明の第３の実施の形態の組込式調理器の主要部品図である。
【００５０】
図５において、調整スペーサー３１の各のこぎり刃の側面には目盛り（数字）３２が刻印されている。
【００５１】
以上のように本実施の形態においては、調整スペーサー３１の幅調整は流し台の測定結果に基づいて目盛り３２をあわせるだけでよく、設置作業性が極めて容易になるものである。
【００５２】
（実施の形態４）
図６は、本発明の第４の実施の形態の組込式調理器の要部断面図である。
【００５３】
図６において、調整スペーサー４１として、汎用性のあるローレットねじを使用している。
【００５４】
以上のように本実施の形態においては、調整スペーサー４１を非常に安価に構成することができるものである。
【００５５】
（実施の形態５）
図７は、本発明の第５の実施の形態の組込式調理器の要部断面図である。
【００５６】
図７において、調整スペーサー５１は、外郭ケース５２の後方部分に左右一対のみ具備したものである。
【００５７】
以上のように本実施の形態においては、調整スペーサー５１の数は半減でき、大幅なコストダウンが図れるものである。
【００５８】
（実施の形態６）
図８は、本発明の第６の実施の形態の組込式調理器の要部断面図である。
【００５９】
図８において、外郭ケース６１の左右側面には、幅の異なった調整スペーサー６２が複数個設けられている。
【００６０】
以上のように本実施の形態においては、調整スペーサー６２の幅調整は流し台の測定結果に基づいて不要なスペーサーを引き抜くだけでよく、作業性の大幅な改善が図れるものである。
【００６１】
（実施の形態７）
図９は、本発明の第７の実施の形態の組込式調理器の主要部品図である。
【００６２】
図９において、複数個の調整スペーサー７１の側面には、凹部７２が設けられている。
【００６３】
以上のように本実施の形態においては、凹部７２に工具を引っ掛けることにより、引き抜きの作業がさらにやりやすくなり、作業性の大幅な改善が図れるものである。
【００６４】
（実施の形態８）
図１０は、本発明の第８の実施の形態の組込式調理器の要部平面図である。
【００６５】
図１０において、外郭ケース８１の左右側面には、複数個の調整スペーサー８２が外郭ケース８１を切り起こして一体に形成されている。
【００６６】
以上のように本実施の形態においては、調整スペーサー８２の幅調整は流し台の測定結果に基づいて不要な調整スペーサーを押し戻すだけでよく、作業性の大幅な改善と部品としての調整スペーサーを廃止することができ、大幅なコストダウンを図れるものである。
【００６７】
（実施の形態９）
図１１は、本発明の第９の実施の形態の組込式調理器の要部平面図である。
【００６８】
図１１において、外郭ケース９１の左右側面には、複数個の調整スペーサー９２が外郭ケース９１を切り起こして一体に形成され、かつ片側は開放されている。
【００６９】
以上のように本実施の形態においては、流し台の測定結果に基づいて不要な調整スペーサー９２を押し戻す際の力は大幅に軽減でき、作業性の大幅な改善が図れるものである。
【００７０】
（実施の形態１０）
図１２は、本発明の第１０の実施の形態の組込式調理器の要部断面図である。
【００７１】
図１２において、調整スペーサー１０１の先端部分はテーパー形状としたものである。
【００７２】
以上のように本実施の形態においては、流し台１０２に設置する際に、本体が少し傾いても引っかかることなしにテーパー面１０３に沿って容易に設置することができ、作業性の大幅な改善が図れるものである。
【産業上の利用可能性】
【００７３】
以上のように、本発明にかかる組込式調理器は、事前の簡単なキッチン寸法の測定で製品本体を調整することにより、組み込むだけで上面開口穴と前面開口部寸法のセンターがずれていても設置後の本体をずらしての調整することなしに、前面開口部寸法に対して製品正面が均等になることで設置工事性の大幅な向上が図れ、またシール材の破損を防止でき優れた調理器を提供することができ、組み込み型のあらゆる熱源の調理器に適用できるものである。
【図面の簡単な説明】
【００７４】
【図１】本発明の第１の実施の形態における組込式調理器の要部斜視図
【図２】同要部斜視図
【図３】同組込式調理器の斜視図
【図４】本発明の第２の実施の形態における組込式調理器の要部断面図
【図５】本発明の第３の実施の形態における主要部品図
【図６】本発明の第４の実施の形態における組込式調理器の要部断面図
【図７】本発明の第５の実施の形態における組込式調理器の要部斜視図
【図８】本発明の第６の実施の形態における組込式調理器の要部平面図
【図９】本発明の第７の実施の形態における主要部品図
【図１０】本発明の第８の実施の形態における組込式調理器の要部平面図
【図１１】本発明の第９の実施の形態における組込式調理器の要部平面図
【図１２】本発明の第１０の実施の形態における組込式調理器の要部斜視図
【図１３】従来の加熱調理器の斜視図
【図１４】一般的な流し台の形態を示す斜視図
【符号の説明】
【００７５】
１１  調理器本体
１２、１０２  流し台
１３、５２、６１、８１、９１  外郭ケース
１４  トッププレート
１５  ロースター
１６  操作部
１７  左サイドカバー
１８  右サイドカバー
１９、２１、３１、４１、５１、６２、７１、８２、９２、１０１  調整スペーサー
２０  側面穴
２２  ねじ
３２  目盛り
７２  凹部
１０３  テーパー面
【図１】
2005315450.tif 000003
【図２】
2005315450.tif 000004
【図３】
2005315450.tif 000005
【図４】
2005315450.tif 000006
【図５】
2005315450.tif 000007
【図６】
2005315450.tif 000008
【図７】
2005315450.tif 000009
【図８】
2005315450.tif 000010
【図９】
2005315450.tif 000011
【図１０】
2005315450.tif 000012
【図１１】
2005315450.tif 000013
【図１２】
2005315450.tif 000014
【図１３】
2005315450.tif 000015
【図１４】
2005315450.tif 000016